(57)【要約】  【課題】所定量の錠剤を確実に取り出せるようにする。  【解決手段】容器口部２に装着される筒体５と、該筒体を閉鎖する傾斜壁８と、該傾斜壁の頂部８ａに設けられた取出口７と、を備えた中栓４であって；前記傾斜壁の外側には、三叉形状の取出回動部材１０が、前記取出口に対向して設けられており、前記回動部材１０は、左右１対の載置部１５ａ、１５ｂを有する受板１５と、該両載置部の境界に立設され、前記取出口への錠剤の流入を規制する邪魔板１７と、前記両板を保持部１３に回動自在に支持せしめる回転軸１９と、を備えている。  【選択図】  図５
2005280715.tif 000002
【特許請求の範囲】
【請求項１】
容器口部に装着される筒体と、該筒体を閉鎖する傾斜壁と、該傾斜壁の頂部に設けられた取出口と、を備えた中栓であって；
前記傾斜壁の外側には、三叉形状の取出回動部材が、前記取出口に対向して設けられており、
前記取出回動部材は、左右１対の載置部を有する受板と、該両載置部の境界に立設され、前記取出口への錠剤の流入を規制する邪魔板と、前記両板を回動自在に支持する保持部と、を備えていることを特徴とする中栓。
【請求項２】
容器口部に装着される筒体と、該筒体を閉鎖する傾斜壁と、該傾斜壁の頂部に設けられた取出口と、を備えた中栓であって；
前記傾斜壁の外側には、三叉形状の取出回動部材が、前記取出口に対向して設けられており、
前記取出回動部材は、左右１対の載置部を有する受板と、該両載置部の境界に立設され、前記取出口への錠剤の流入を規制する邪魔板と、前記邪魔板に設けられ、保持部に回動自在に支持される回転軸と、を備えていることを特徴とする中栓。
【請求項３】
容器口部に装着される筒体と、該筒体を閉鎖する傾斜壁と、該傾斜壁の頂部に設けられた取出口と、を備えた中栓であって；
前記外向き傾斜壁の外側には、三叉形状の取出回動部材が、前記取出口に対向して設けられており、
前記定量取出回動部材は、載置部を有する受板と、取出口への錠剤の流入を規制する邪魔板と、前記両板に固定された回転軸を回動せしめる押板と、を備えていることを特徴とする中栓。
【請求項４】
前記取出口には、案内突起が設けられていることを特徴とする請求項１、２、又は、３記載の中栓。
【請求項５】
前記押板の長さは、受板及び邪魔板のそれよりも長く形成されていることを特徴とする請求項３、又は、４記載の中栓。
【請求項６】
前記中栓が、透明、又は、半透明の合成樹脂で形成されていることを特徴とする請求項１，２，３、４、又は、５記載の中栓。
【発明の詳細な説明】
【技術分野】
【０００１】
この発明は、容器の口部に装着される中栓に関するものであり、さらに詳しくは、薬剤、栄養剤等の錠剤が収納される容器から、錠剤を必要量だけ取り出しできる中栓に関するものである。
【背景技術】
【０００２】
薬剤、栄養剤等の錠剤は、蓋の付いた容器に収納されて保管されている。服用者は、服用の都度、前記蓋を取り、該容器を傾けて開口部を下向きにし、錠剤を手のひら上に落下させて取り出している。
しかし、前記開口部が広いため、一度に落下する錠剤の数を規制することはできないので、必要以上の錠剤が取り出されてしまう。そこで、一旦取り出した錠剤の内、余分なものを再び容器内に戻している。
【０００３】
しかし、一度手のひらに取り出された錠剤は、皮脂、雑菌などが付着し衛生上好ましくない。また錠剤の種類によっては取り出した錠剤の表面に皮脂などが付着すると変質してしまい所望する効能を得ることができなくなるため、必要以上に錠剤を容器外に取り出すのは好ましくない。
【０００４】
そこで、前記問題を解決するため、次の様な中栓が用いられている。（例えば、特許文献１、参照）。
栓体の上端外周に鍔条を有し、底板の中央部に矩形等の切欠穴を設け、この切欠穴の一方長辺際から下方に突出した突板を有し、更に一方短辺際に軸条を形成し、他方短辺際の上端内部に掛止用の段状部を有する栓体に対して送出体は、半円筒状等を形成し、その筒内を送出室とし、半円筒の一方角部から上部へ支持壁を垂設し、支持壁の上端外部に掛止用突子を設け、かつ、他方角部に支持杆を設けて、この支持杆を栓体の軸条に嵌めて成る定量錠剤取り出し中栓の構造。
【０００５】
【特許文献１】実用新案出願公告昭３８−３４００号公報
【発明の開示】
【発明が解決しようとする課題】
【０００６】
従来例の中栓は、錠剤が送出室に横から入る構造になっているので、確実に送出室に錠剤を入れるのが困難である。また送出室に錠剤を入れた後、容器外に該錠剤を取り出す際に、容器内の別の錠剤が送出室の回動を邪魔し、円滑な取り出しが困難になる虞がある。
【０００７】
この発明は、上記事情に鑑み、所定量の錠剤を円滑に取り出せるようにすることを目的とする。
【課題を解決するための手段】
【０００８】
この発明は、容器口部に装着される筒体と、該筒体を閉鎖する傾斜壁と、該傾斜壁の頂部に設けられた取出口と、を備えた中栓であって；前記傾斜壁の外側には、三叉形状の取出回動部材が、前記取出口に対向して設けられており、前記取出回動部材は、左右１対の載置部を有する受板と、該両載置部の境界に立設され、前記取出口への錠剤の流入を規制する邪魔板と、前記両板を回動自在に支持する保持部と、を備えていることを特徴とする。
【０００９】
この発明は、容器口部に装着される筒体と、該筒体を閉鎖する傾斜壁と、該傾斜壁の頂部に設けられた取出口と、を備えた中栓であって；前記傾斜壁の外側には、三叉形状の取出回動部材が、前記取出口に対向して設けられており、前記取出回動部材は、左右１対の載置部を有する受板と、該両載置部の境界に立設され、前記取出口への錠剤の流入を規制する邪魔板と、前記邪魔板に設けられ、保持部に回動自在に支持される回転軸と、を備えていることを特徴とする。
【００１０】
この発明は、容器口部に装着される筒体と、該筒体を閉鎖する傾斜壁と、該傾斜壁の頂部に設けられた取出口と、を備えた中栓であって；前記傾斜壁の外側には、三叉形状の取出回動部材が、前記取出口に対向して設けられており、前記取出回動部材は、載置部を有する受板と、取出口への錠剤の流入を規制する邪魔板と、前記両板に固定された回転軸を回動せしめる押板と、を備えていることを特徴とする。
【００１１】
前記取出口には、案内突起が設けられていることを特徴とする。前記押板の長さは、受板及び邪魔板のそれよりも長く形成されていることを特徴とする。前記中栓が透明、又は半透明の合成樹脂で形成されていることを特徴とする。
【発明の効果】
【００１２】
この発明は、傾斜壁の外側に、三叉形状の取出回動部材が、取出口に対向して設けられているので、載置室に錠剤を円滑にセットすることができる。そして前記取出回動部材を回動させ、錠剤を取り出す際には、邪魔板が取出回動部材の回転を円滑に促す。従って、確実に必要量の錠剤を取り出せるので、従来例の様に取り出した余分の錠剤を容器内に戻す必要はない。
【発明を実施するための最良の形態】
【００１３】
この発明の第１実施の形態を図１〜図５により説明する。
容器１には、複数の錠剤Ｔが収納されている。この錠剤Ｔはそれぞれ同一形状に形成され、例えば、直径10mm、厚さ5mm、の円盤状に形成されている。
【００１４】
容器１の口部２は、中栓４が装着されている。この中栓４は、筒体５と、取出口７と、傾斜壁８と、取出回動部材１０とを備えている。
【００１５】
前記筒体５は、透明、又は半透明の合成樹脂、例えば、ポリエチレン、ポリプロピレン、ＡＢＳ樹脂、エラストマー等により円筒状に形成され、その外端5aには、フランジ１２が設けられている。このフランジ１２は、蓋との密封性を確保すると共に、中栓４の容器口部２への着脱を容易にしている。取出口７は、傾斜壁８の頂部開口であり、長方形状に形成され、筒体５の内部中央に位置している。取出口７の開口面積は、２個の錠剤Ｔが並列に通れる程度の面積であるが、その面積は必要に応じて適宜選択される。
【００１６】
前記傾斜壁８は、筒体５の内端５ｂから該筒体５の中央部に向かって傾斜する遮断壁であり、その頂部８ａは、前記取出口７の開口縁部をなしている。この傾斜壁８は、錠剤を取出口７に案内する機能を有し、その傾斜角度は必要に応じて適宜選択される。
【００１７】
取出回動部材１０は、三叉形状に形成され、受板１５と邪魔板１７とを備えている。受板１５は、左右一対の載置部１５ａ、１５ｂを有し、その中央部は内側に凸の山状となっている。受板１５の幅Ｗは、取出口７の幅よりわずかに小さく形成され、又、該受板１５の先端側の側部には、ストッパー（図示省略）が設けられている。このストッパーは、受板１５が所定角度、例えば、５０度回転したときに傾斜壁８の開口縁部に当接し、それ以上の回転を阻止する。
【００１８】
邪魔板１７は、前記受板１５の両載置部15a、１５ｂの境界に立設された長方形状板である。この邪魔板１７の幅は、取出口７の幅よりわずかに小さく形成され、又、その先端部には切欠部２０が形成されている。
【００１９】
邪魔板１の側面には、回転軸１９が設けられているが、この回転軸１９は、前記傾斜壁８の開口縁部に形成された、保持部１３に回動自在に支持される。前記回転軸１９の取付位置は、受板１５と邪魔板１７の交差部17aよりも上方、すなわち邪魔板１７上に設計するのが好適であるが、その位置は必要に応じて適宜選択することができる。前記傾斜壁８の開口縁部（取出口の縁部）には、錠剤Ｔの落下を規制する案内突起２２が突設されている。
【００２０】
次に、本実施の形態の作動について説明する。
図示しない容器１の蓋を外し、容器の振動等の衝撃により錠剤が破損するのを防止するために入れられた錠剤押え（プラスチック製等のシートが塊状に丸めて入れられている）を容器から取り出す。該容器１を逆さにして口部２を下側に向ける。そうすると、容器１内の錠剤Ｔは、傾斜壁８に案内されながら流下し、図４に示すように、取出口７と受板１５とで形成される載置室Ｒに入り、前記載置部１５ａ、１５ｂにそれぞれ１個ずつ載置される。この時、案内突起２２は、錠剤Ｔの落下を規制する。
【００２１】
１個目の取り出し：
受板１５の載置部１５ｂの先端部１５ｓを、指で内方に押し上げると、前記回動部材１０が時計方向に回転するとともに、他方の載置部１５ａも同方向に回転し、その先端部１５ｆと筒体５の内壁との間隔は次第に大きくなる。そして、前記載置部１５ａが所定角度、例えば、５０度回転すると、前記先端部１５ｆと筒体５の内壁との間隔は、該錠剤Ｔよりも大きくなるので、該錠剤Ｔは、該載置部１５ａから離れ落下する。この時、回転軸１９の設計位置を邪魔板上にすることで、回転軸を中心とする回転半径が大きくなるので、前記載置部１５ａの必要回転角度を少なくすることができる。また中栓は、透明、半透明の合成樹脂で形成されているので、作動状態を容易に目視確認することができる。
【００２２】
邪魔板１７の先端部１７ｆは、図５に示すように、取出口７の上方斜めに位置し、該先端部１７ｆと筒体５の内面との間隔は、前記錠剤Ｔ0より小さくなるので、該錠剤Ｔ0の流下は阻止される。そのため、該錠剤Ｔ0は、取出口７内に落下することができないので、確実に１個だけ取り出すことができる。
【００２３】
前記載置部１５ａの先端部１５ｓを押し上げ、前記と逆方向に同一回転角度回転させると、受板１５は元の状態に戻り、邪魔板１７は垂直状態となるとともに、前記錠剤Ｔ0は取出口７に流入し、載置部１５ａに載置される。
【００２４】
２個目の取り出し；
次に、受板１５の載置部１５aの先端部1５ｆを、指で内方に押し上げると、前記と同様な要領で載置部１５ｂ上の錠剤Ｔが１個だけ取りだされる。
なお、この場合、載置部１５ａの先端部１５ｆを押し上げる代わりに、１個目の取り出しと同様に、前記載置部１５ｂの先端部１５ｓを押し上げても良い。
【００２５】
３個目以上の取り出し：
前記要領で必要な個数の錠剤を取り出す。
【００２６】
この発明の第２実施の形態を図６〜図９により説明するが、図１〜図５と同一図面付符号は、その名称も機能も同一である。
この実施の形態と第１実施の形態との相違は、次の通りである。
（１）取出口７Ａが、長方形に形成されているが、その開口面積は、前記取出口７より小さいこと。
（２）取出回動部材１０Ａの受板３０は、前記受板１５の１／２の大きさに形成され、１個の載置部３０ａを備えていること。
【００２７】
（３）回転軸１９Ａは、前記受板３０と邪魔板１７Ａと押板３５との交差部３８に配設されていること。なお、受板３０と邪魔板１７Ａとの内面は、連続する円弧状面となっており、又、押板３５の長さは、受板３０及び邪魔板１７Ａのそれより長く形成されている。
【００２８】
（４）傾斜壁８Ａの内面に、錠剤の流れを円滑にするためのガイド３９が突設されていること。
【００２９】
本実施の形態の作動を説明するが、前記第１実施の形態のそれとほぼ同一である。即ち、開蓋した容器１を逆にして口部２を下側にすると、容器１内の錠剤Ｔは、前記傾斜壁８のガイド３９に規制されながら流下し、図８、図９に示すように、取出口７Ａと受板３０とで形成される載置室Ｒに入り、載置部３０ａに１個載置される。この時、案内突起２２は、錠剤Ｔの移動を規制し、又、錠剤Ｔ0は、前記錠剤Ｔに連接した状態になっている。
【００３０】
１個目の取り出し：
押板３５の自由端部を、指で内方に押し上げると、前記回動部材１０Ａが時計方向に回転し、受板３０の先端部３０ｆと筒体５の内壁との間隔は次第に大きくなる。そして、前記載置部３０ａが所定角度回転し、鎖線の位置に達すると、前記先端部３０ｆと筒体５の内壁との間隔は、該錠剤Ｔよりも大きくなるので、該錠剤Ｔは、該載置部３０ａから離れ落下する。
【００３１】
この時、邪魔板１７Ａの先端部１７ｓは、図９の鎖線で示すように、取出口７Ａの上方斜めに位置し、該先端部１７ｓと筒体５の内面との間隔は、前記錠剤Ｔ0より小さくなるので、該錠剤Ｔ0の流下は阻止される。そのため、該錠剤Ｔ0は、取出口７内に落下することができないので、確実に、１個だけ取り出すことができる。
【００３２】
前記載置部３０ａを押し上げ前記と逆方向に同一回転角度回転させると、受板３０は元の状態に戻り、邪魔板１７は垂直状態になると共に、前記錠剤Ｔ0は取出口７Ａに流入し、載置部３０ａに載置される。
【００３３】
２個目の取り出し；
次に、押板３５の自由端部を、指で内方に押し上げると、前記と同様な要領で載置部３０ａ上の錠剤Ｔ０が１個だけ取りだされる。
【００３４】
３個目以上の取り出し：
前記要領で必要な個数の錠剤を取り出す。
【００３５】
この発明の実施の形態は、上記に限定されるものではなく、例えば、回転軸を邪魔板に設ける代わりに、受板と邪魔板との交差部に設けてもよい。
【図面の簡単な説明】
【００３６】
【図１】第１実施の形態を示す底面図である。
【図２】同平面図である。
【図３】図１のIII−III線断面図である。
【図４】図１のIV−IV線断面図である。
【図５】図４の他の状態を示す断面図である。
【図６】第２実施の形態を示す底面図である。
【図７】同平面図である。
【図８】図６のVIII−VIII線断面図である。
【図９】図７のIX−IX線断面図である。
【符号の説明】
【００３７】
１    容器
２    口部
４    中栓
５    筒部
７    取出口
８    傾斜壁
10    取出回動部材
13    保持部
15    受板
15a   載置部
15b   載置部
17    邪魔板
19    回転軸
【図１】
2005280715.tif 000003
【図２】
2005280715.tif 000004
【図３】
2005280715.tif 000005
【図４】
2005280715.tif 000006
【図５】
2005280715.tif 000007
【図６】
2005280715.tif 000008
【図７】
2005280715.tif 000009
【図８】
2005280715.tif 000010
【図９】
2005280715.tif 000011